(57)【特許請求の範囲】
【請求項１】
ＡＤＳＬ（Ａｓｙｍｍｅｔｒｉｃ  Ｄｉｇｉｔａｌ  Ｓｕｂｓｃｒｉｂｅｒ  Ｌｉｎｅ）局内装置とＡＤＳＬモデムとの対向接続時に、前記ＡＤＳＬモデムからのモデム情報を基に接続モードを選択し、当該接続モードにて前記ＡＤＳＬ局内装置と前記ＡＤＳＬモデムとの接続を行うためのトレーニングに成功した時に前記ＡＤＳＬ局内装置と前記ＡＤＳＬモデムとの接続を行うデータ通信システムであって、
前記ＡＤＳＬ局内装置が、前記トレーニングの回数をカウントするカウンタと、選択された接続モードと前記カウンタのカウント値とを基に前記ＡＤＳＬ局内装置と前記ＡＤＳＬモデムとの接続モードを選択する選択手段とを有し、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択手段が前記４つの接続モードを順次選択して前記トレーニングを実行することを特徴とするデータ通信システム。
【請求項２】
前記トレーニングの回数が予め設定された値となった時に一度選択した接続モードを初期化する手段を含むことを特徴とする請求項１記載のデータ通信システム。
【請求項３】
ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムとの対向接続時に、前記ＡＤＳＬモデムからのモデム情報を基に接続モードを選択し、当該接続モードにて前記ＡＤＳＬモデムとの接続を行うためのトレーニングに成功した時に前記ＡＤＳＬモデムとの接続を行うＡＤＳＬ局内装置であって、
前記トレーニングの回数をカウントするカウンタと、選択されたモードと前記カウンタのカウント値とを基に前記ＡＤＳＬモデムとの接続モードを選択する選択手段とを有し、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択手段が前記４つの接続モードを順次選択して前記トレーニングを実行することを特徴とするＡＤＳＬ局内装置。
【請求項４】
前記トレーニングの回数が予め設定された値となった時に一度選択した接続モードを初期化する手段を含むことを特徴とする請求項３記載のＡＤＳＬ局内装置。
【請求項５】
ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムとの対向接続時に、前記ＡＤＳＬモデムからのモデム情報を基に接続モードを選択し、当該接続モードにて前記ＡＤＳＬモデムとの接続を行うためのトレーニングに成功した時に前記ＡＤＳＬモデムとの接続を行うＡＤＳＬ局内装置に用いるＡＤＳＬ接続モード選択方法であって、
前記ＡＤＳＬ局内装置が、前記トレーニングの回数をカウントするステップと、そのカウント値と選択された接続モードとを基に前記ＡＤＳＬモデムとの接続モードを選択する選択ステップとを実行し、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択ステップにて前記４つの接続モードを順次選択して前記トレーニングを実行することを特徴とするＡＤＳＬ接続モード選択方法。
【請求項６】
前記トレーニングの回数が予め設定された値となった時に一度選択した接続モードを初期化するステップを含むことを特徴とする請求項５記載のＡＤＳＬ接続モード選択方法。
【請求項７】
ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムとの対向接続時に、前記ＡＤＳＬモデムからのモデム情報を基にモードを選択して前記ＡＤＳＬモデムとの接続を行うためのトレーニングに成功した時に前記ＡＤＳＬモデムとの接続を行うＡＤＳＬ局内装置が実行するプログラムであって、
コンピュータに、前記トレーニングの回数をカウントする処理と、そのカウント値と選択されたモードとを基に前記ＡＤＳＬモデムとの接続モードを選択する選択処理とを実行させ、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択処理にて前記４つの接続モードを順次選択して前記トレーニングを実行させるためのプログラム。
【発明の詳細な説明】
【０００１】
【発明の属する技術分野】
本発明はデータ通信システム、ＡＤＳＬ局内装置及びそれに用いるＡＤＳＬ接続モード選択方法並びにそのプログラムに関し、特にＡＤＳＬ（Ａｓｙｍｍｅｔｒｉｃ  Ｄｉｇｉｔａｌ  Ｓｕｂｓｃｒｉｂｅｒ  Ｌｉｎｅ）接続モードの選択に関する。
【０００２】
【従来の技術】
近年、インタネットの普及に伴って、ブロードバンド（広帯域）でのデータ通信が望まれており、データ通信回線もＩＳＤＮ（Ｉｎｔｅｇｒａｔｅｄ  Ｓｅｒｖｉｃｅｓ  Ｄｉｇｉｔａｌ  Ｎｅｔｗｏｒｋ）からＡＤＳＬ（Ａｓｙｍｍｅｔｒｉｃ  Ｄｉｇｉｔａｌ  Ｓｕｂｓｃｒｉｂｅｒ  Ｌｉｎｅ）へと移行してきている。
【０００３】
ＡＤＳＬは伝送特性上、ＩＳＤＮから発生するノイズに対して非常に劣化しやすいという性質を持つ伝送方式である。そのため、ＡＤＳＬ局内装置（ＣＯ側）からＡＤＳＬモデム（ＣＰＥ側）までの伝送距離の二乗に比例して転送レートが低くなるという特徴を持つ。
【０００４】
日本においてはＩＳＤＮの干渉を受けにくいＡｎｎｅｘ−Ｃという規格が定められており、Ａｎｎｅｘ−Ｃには二つの接続モード、Ｇ．ｄｍｔ（ＩＴＵ−Ｔ勧告Ｇ．９２２．１）モードと、Ｇ．ｌｉｔｅ（ＩＴＵ−Ｔ勧告Ｇ．９２２．２）モードとがある。
【０００５】
Ｇ．ｄｍｔモードの特徴は下りの最大伝送レートが８Ｍｂｐｓと大容量のデータ転送が可能である。しかしながら、Ｇ．ｌｉｔｅモードに比べて伝送ノイズの影響に弱く、接続することができる伝送距離は約４ｋｍほどとそれほど長くない。
【０００６】
Ｇ．ｌｉｔｅモードはＧ．ｄｍｔモードの簡易版として考案されたものであり、特徴は下り最大レート約３Ｍｂｐｓ（実際のサービスでは１．５Ｍｂｐｓ程度）と、Ｇ．ｄｍｔモードよりも最大転送レートは劣るものの、伝送距離はＧ．ｄｍｔモードよりも長くＡＤＳＬ局内装置設置局を中心に広範囲にサービスを提供することができる。
【０００７】
この時、接続距離の違いから、Ｇ．ｌｉｔｅモードでは接続することができる距離においても、Ｇ．ｄｍｔモードでは接続することができないという現象が生じてしまうことがある。
【０００８】
当然、Ｇ．ｄｍｔモードで接続した方が下り伝送レートが最大８Ｍｂｐｓと、Ｇ．ｌｉｔｅモードの５，６倍も速いため、Ｇ．ｄｍｔモードで接続することができるのならばそのほうが望ましい。
【０００９】
上記のＡＤＳＬ技術を用いて接続を行う場合には、図７に示すような動作となる。すなわち、ＡＤＳＬ局内装置はＡＤＳＬモデムの接続時に、それぞれがサポートしている接続モード情報を互いにネゴシエーションすることによって、最適な接続モードが選択される［Ｇ．ｈｓ（ＩＴＵ−Ｔ勧告Ｇ．９９４．１）］。
【００１０】
ＡＤＳＬ局内装置はＡＤＳＬモデム（ＣＰＥ側）を接続すると（図７ステップＳ７１）、Ｇ．ｈｓを通して互いのモデム情報の交換が行われる（図７ステップＳ７２）。ＡＤＳＬ局内装置はＧ. ｈｓのシーケンス内でＡＤＳＬモデムの種別を判別する。
【００１１】
ＡＤＳＬ局内装置はこの判別の結果、ＡＤＳＬモデムがＡｎｎｅｘ−Ｃに対応していなければ（図７ステップＳ７３）、ＡＤＳＬのＡｎｎｅｘ−Ｃでの接続を不可能とする（図７ステップＳ８２）。
【００１２】
一方、ＡＤＳＬ局内装置はＡｎｎｅｘ−Ｃ対応モデムの場合（図７ステップＳ７３）、そのＡｎｎｅｘ−Ｃ対応モデムがＧ．ｄｍｔモード、Ｇ．ｌｉｔｅモードの双方に対応したモデムか、Ｇ．ｌｉｔｅモードのみをサポートしているモデムかを判別する（図７ステップＳ７４）。
【００１３】
ＡＤＳＬ局内装置はＧ．ｌｉｔｅモードのみをサポートしている場合、Ｇ. ｌｉｔｅモードにてトレーニングを開始し（図７ステップＳ７９）、トレーニングが成功の場合（図７ステップＳ８０）、Ｇ．ｌｉｔｅモードにて接続し（図７ステップＳ８１）、接続完了とする（図７ステップＳ７８）。ＡＤＳＬ局内装置はトレーニング失敗であれば、ステップＳ７４に戻る。
【００１４】
ＡＤＳＬ局内装置はＧ．ｄｍｔモード、Ｇ．ｌｉｔｅモードの双方に対応したモデムの場合、Ｇ．ｄｍｔモードにてトレーニングを開始し（図７ステップＳ７５）、トレーニングが成功の場合（図７ステップＳ７６）、Ｇ．ｄｍｔモードにて接続し（図７ステップＳ７７）、接続完了とする（図７ステップＳ７８）。ＡＤＳＬ局内装置はトレーニング失敗であれば、ステップＳ７４に戻る。
【００１５】
【発明が解決しようとする課題】
しかしながら、上述した従来のＡＤＳＬ技術では、例えば、Ｇ．ｌｉｔｅモードの１．５Ｍｂｐｓサービスから、Ｇ．ｄｍｔモードの８Ｍｂｐｓサービスに切替えた顧客の中で、ＡＤＳＬ局内装置とＡＤＳＬモデムとの距離の関係で、接続することができなくなってしまうケースも増えている。
【００１６】
これは従来の方法にてＡＤＳＬモデムの接続を行うと、上述したように、ＡＤＳＬモデムの種別を判断するだけで接続を開始し、Ｇ．ｄｍｔモード、Ｇ．ｌｉｔｅモードの双方に対応したモデムであれば、必ずＧ．ｄｍｔモードのみでトレーニングしてしまうためである。その結果、ぎりぎりＧ．ｄｍｔモードにてリンクの確立ができない距離では接続がまったくできないという事態になってしまう。
【００１７】
従来の技術では接続することができない場合の対応のため、人手によって回線の設定をＧ．ｄｍｔモードからＧ．ｌｉｔｅモードに変更するという手段を用いている。しかしながら、この作業は非常に面倒であり、人為的なミスが生じたり、メンテナンスに非常に時間がかかる等の問題がある。
【００１８】
そこで、本発明の目的は上記の問題点を解消し、Ｇ．ｄｍｔモード、Ｇ．ｌｉｔｅモード双方対応のモデムを接続した時に回線の状況に最適化された接続モードで接続することができるデータ通信システム、ＡＤＳＬ局内装置及びそれに用いるＡＤＳＬ接続モード選択方法並びにそのプログラムを提供することにある。
【００１９】
【課題を解決するための手段】
本発明によるデータ通信システムは、ＡＤＳＬ（Ａｓｙｍｍｅｔｒｉｃ  Ｄｉｇｉｔａｌ  Ｓｕｂｓｃｒｉｂｅｒ  Ｌｉｎｅ）局内装置とＡＤＳＬモデムとの対向接続時に、前記ＡＤＳＬモデムからのモデム情報を基に接続モードを選択し、当該接続モードにて前記ＡＤＳＬ局内装置と前記ＡＤＳＬモデムとの接続を行うためのトレーニングに成功した時に前記ＡＤＳＬ局内装置と前記ＡＤＳＬモデムとの接続を行うデータ通信システムであって、
前記ＡＤＳＬ局内装置が、前記トレーニングの回数をカウントするカウンタと、選択された接続モードと前記カウンタのカウント値とを基に前記ＡＤＳＬ局内装置と前記ＡＤＳＬモデムとの接続モードを選択する選択手段とを備え、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択手段が前記４つの接続モードを順次選択して前記トレーニングを実行している。
【００２０】
本発明によるＡＤＳＬ局内装置は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムとの対向接続時に、前記ＡＤＳＬモデムからのモデム情報を基に接続モードを選択し、当該接続モードにて前記ＡＤＳＬモデムとの接続を行うためのトレーニングに成功した時に前記ＡＤＳＬモデムとの接続を行うＡＤＳＬ局内装置であって、
前記トレーニングの回数をカウントするカウンタと、選択されたモードと前記カウンタのカウント値とを基に前記ＡＤＳＬモデムとの接続モードを選択する選択手段とを備え、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択手段が前記４つの接続モードを順次選択して前記トレーニングを実行している。
【００２１】
本発明によるＡＤＳＬ接続モード選択方法は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムとの対向接続時に、前記ＡＤＳＬモデムからのモデム情報を基に接続モードを選択し、当該接続モードにて前記ＡＤＳＬモデムとの接続を行うためのトレーニングに成功した時に前記ＡＤＳＬモデムとの接続を行うＡＤＳＬ局内装置に用いるＡＤＳＬ接続モード選択方法であって、
前記ＡＤＳＬ局内装置が、前記トレーニングの回数をカウントするステップと、そのカウント値と選択された接続モードとを基に前記ＡＤＳＬモデムとの接続モードを選択する選択ステップとを実行し、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択ステップにて前記４つの接続モードを順次選択して前記トレーニングを実行している。
【００２２】
本発明によるＡＤＳＬ接続モード選択方法のプログラムは、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムとの対向接続時に、前記ＡＤＳＬモデムからのモデム情報を基にモードを選択して前記ＡＤＳＬモデムとの接続を行うためのトレーニングに成功した時に前記ＡＤＳＬモデムとの接続を行うＡＤＳＬ局内装置が実行するプログラムであって、
コンピュータに、前記トレーニングの回数をカウントする処理と、そのカウント値と選択されたモードとを基に前記ＡＤＳＬモデムとの接続モードを選択する選択処理とを実行させ、
前記接続モードが、ＩＴＵ−Ｔ勧告Ｇ．９９２．１のＧ．ｄｍｔモード及びＩＴＵ−Ｔ勧告Ｇ．９９２．２のＧ．ｌｉｔｅモードのＤＢＭ（Ｄｕａｌ  Ｂｉｔ  Ｍａｐ）モード及びＦＢＭ（Ｆｅｘｔ  Ｂｉｔ  Ｍａｐ）モードを取入れ、Ｇ．ｄｍｔ（ＤＢＭ）、Ｇ．ｄｍｔ（ＦＢＭ）、Ｇ．ｌｉｔｅ（ＤＢＭ）、Ｇ．ｌｉｔｅ（ＦＢＭ）の４つの接続モードの組合せを定義してそれぞれの接続モードに適切な設定を適用する際に、選択された接続モードと前記カウンタのカウント値とを基に前記選択処理にて前記４つの接続モードを順次選択して前記トレーニングを実行させている。
【００２３】
すなわち、本発明のＡＤＳＬ接続モード選択方法は、ＡＤＳＬ（Ａｓｙｍｍｅｔｒｉｃ  Ｄｉｇｉｔａｌ  Ｓｕｂｓｃｒｉｂｅｒ  Ｌｉｎｅ）局内装置（ＣＯ側）とＡＤＳＬモデム（ＣＰＥ側）との対向接続時に用い、トレーニング数をカウントするカウンタを有し、受信したモデム情報からモードを選択し、ＡＤＳＬモデムと接続する機能を有したＡＤＳＬ局内装置と、モデム情報を送信し、ＡＤＳＬ局内装置と接続する機能を有したＡＤＳＬモデムとを相互に接続した場合に、接続時のトレーニングの回数とモデムの種類とから適切な接続モードを自動的に選択することを特徴としている。
【００２４】
より具体的に説明すると、本発明のＡＤＳＬ接続モード選択方法では、接続時にＡＤＳＬモデムがＡＤＳＬ局内装置にモデム情報を送信し、ＡＤＳＬ局内装置がモデム判別部でそのモデム情報からモデムの種別を判別する。また、カウンタではトレーニング回数をカウントしており、比較器に設定されたトレーニング数との比較結果によつて、候補となる接続モードが接続モード選択部で自動的に選択され、接続することが可能となる。
【００２５】
本発明のＡＤＳＬ接続モード選択方法では、Ｇ．ｄｍｔモードで接続することができなった場合でも、ＡＤＳＬモデムに対してＧ．ｌｉｔｅモードにて自動的に最適化して接続するので、Ｇ．ｄｍｔモード、Ｇ．ｌｉｔｅモードの双方に対応したモデムを接続した時、回線の状況に最適化された接続モードで接続することが可能となる。
【００２６】
【発明の実施の形態】
次に、本発明の実施例について図面を参照して説明する。図１は本発明の一実施例によるデータ通信システムの構成を示すブロック図である。図１において、本発明の一実施例によるデータ通信システムは、ＡＤＳＬ（Ａｓｙｍｍｅｔｒｉｃ  Ｄｉｇｉｔａｌ  Ｓｕｂｓｃｒｉｂｅｒ  Ｌｉｎｅ）局内装置（ＣＯ側）１とＡＤＳＬモデム（ＣＰＥ側）２とが物理的に接続されて構成されている。
【００２７】
ＡＤＳＬ局内装置１はモデム情報受信部１１と、モデム判別部１２と、カウンタ１３と、比較器１４と、接続モード選択部１５と、トレーニング実行部１６と、記録媒体１７とから構成されている。また、ＡＤＳＬモデム２はモデム情報送信部２１と、トレーニング実行部２２とを有している。
【００２８】
ここで、記録媒体１７にはＡＤＳＬ局内装置１の主たる構成要素であるコンピュータ（図示せず）で実行されるプログラムを格納しており、ＡＤＳＬ局内装置１の各部の動作はコンピュータが記録媒体１７のプログラムを実行することで制御される。
【００２９】
ＡＤＳＬモデム２のモデム情報送信部２１はＡＤＳＬ局内装置１のモデム情報受信部１１に接続され、ＡＤＳＬ局内装置１とＡＤＳＬモデム２との接続時にモデム情報信号を転送する。
【００３０】
モデム情報受信部１１はモデム判別部１２に接続されており、モデム情報送信部２１からの情報をモデム判別部１２に送る。モデム判別部１２はＡＤＳＬ局内装置１に接続されたモデムがどの規格に当てはまるのかを判別する。
【００３１】
接続モード選択部１５はモデム判別部１２と比較器１４とトレーニング実行部１６とに接続されており、モデムの情報または比較器１４での比較結果によって接続モードを選択する。
【００３２】
カウンタ１３はトレーニング実行部１６と比較器１４とに接続され、トレーニングの回数をカウントする。比較器１４はトレーニングカウント数と入力された設定値とを比較し、その比較結果を接続モード選択部１５に通知する。
【００３３】
トレーニング実行部１６はＡＤＳＬモデム２のトレーニング実行部２２に接続されており、接続モード選択部１５によって選択された接続モードでトレーニングを実行する。
【００３４】
ＡＤＳＬ通信の接続は次のように行われる。ＡＤＳＬ局内装置１とＡＤＳＬモデム２との接続時に、それぞれがサポートしている接続モード情報を互いにネゴシエーションすることによって最適な接続モードが選択される［Ｇ．ｈｓ（ＩＴＵ−Ｔ勧告Ｇ．９９４．１）］。これは図1 におけるモデム情報送信部２１、モデム情報受信部１１、モデム判別部１２、接続モード選択部１５によって実現される。
【００３５】
接続モードが選択されると、その選択されたモードによって実際に接続を試みる  （トレーニング）。トレーニングが成功すると、ＡＤＳＬ通信の接続が完了となる。これは図1 におけるトレーニング実行部１６，２２によって実現される。
【００３６】
図２は図１のＡＤＳＬ局内装置１の動作を示すフローチャートである。これら図１及び図２を参照して本発明の一実施例によるデータ通信システムの動作について説明する。以下、最大トレーニング回数ｎ＝３と設定した時の動作について説明する。尚、図２に示す処理はＡＤＳＬ局内装置１のコンピュータが記録媒体１７のプログラムを実行することで実現される。
【００３７】
Ｇ．ｄｍｔ（ＩＴＵ−Ｔ勧告Ｇ．９９２．１  Ａｎｎｅｘ−Ｃ）モード及びＧ．ｌｉｔｅ（ＩＴＵ−Ｔ勧告Ｇ．９９２．２  Ａｎｎｅｘ−Ｃ）モードの両方をサポートしているＡＤＳＬ局内装置（ＣＯ側）１は初期化のため、トレーニング回数Ｎ＝０とする（図２ステップＳ１）。
【００３８】
ＡＤＳＬ局内装置１はＡＤＳＬモデム（ＣＰＥ側）２を接続すると（図２ステップＳ２）、Ｇ. ｈｓを通して互いのモデム情報の交換が行われる（図２ステップＳ３）。ＡＤＳＬ局内装置１はＧ. ｈｓのシーケンス内でＡＤＳＬモデム２の種別を判別する。
【００３９】
ＡＤＳＬ局内装置１は判別の結果、ＡＤＳＬモデムがＡｎｎｅｘ−Ｃに対応していない場合（図２ステップＳ４）、ＡＤＳＬのＡｎｎｅｘ−Ｃでの接続が不可能であり（図２ステップＳ１５）、本発明を適用しない。
【００４０】
ＡＤＳＬ局内装置１はＡｎｎｅｘ−Ｃに対応したモデムの場合（図２ステップＳ４）、Ｇ．ｄｍｔモード、Ｇ．ｌｉｔｅモード双方対応モデムか、Ｇ．ｌｉｔｅモードのみをサポートしているモデムかを判別する（図２ステップＳ５）。
【００４１】
ＡＤＳＬ局内装置１はＧ. ｌｉｔｅモードのみをサポートしているモデムの場合、Ｇ．ｌｉｔｅモードにてトレーニングを開始し（図２ステップＳ１２）、トレーニングが成功の場合（図２ステップＳ１３）、Ｇ．ｌｉｔｅモードにて接続し（図２ステップＳ１４）、接続を完了する（図２ステップＳ１０）。トレーニング失敗の場合には（図２ステップＳ１３）、カウンタ１３にて計測しているトレーニング回数Ｎを１増やし（図２ステップＳ１１）、ステップＳ４に戻る。
【００４２】
ＡＤＳＬ局内装置１はＧ．ｄｍｔモード、Ｇ．ｌｉｔｅモード双方対応モデムの場合（図２ステップＳ４）、今までのトレーニング回数Ｎの回数を判断する（図２ステップＳ６）。
【００４３】
ＡＤＳＬ局内装置１はトレーニング回数Ｎがｎ（＝３回）未満であった場合、Ｇ．ｄｍｔモードにてトレーニングを開始し（図２ステップＳ７）、トレーニングが成功すると（図２ステップＳ８）、Ｇ．ｄｍｔモードにて接続し（図２ステップＳ９）、接続を完了する（図２ステップＳ１０）。トレーニング失敗の場合には（図２ステップＳ８）、カウンタ１３にて計測しているトレーニング回数Ｎを１増やし（図２ステップＳ１１）、ステップＳ４に戻る。
【００４４】
ＡＤＳＬ局内装置１はトレーニング回数Ｎがｎ（＝３回）以上であった場合、Ｇ．ｌｉｔｅにてトレーニングを開始し（図２ステップＳ１２）、トレーニングが成功の場合（図２ステップＳ１３）、Ｇ．ｌｉｔｅモードにて接続し（図２ステップＳ１４）、接続を完了する（図２ステップＳ１０）。トレーニング失敗の場合には（図２ステップＳ１３）、カウンタ１３にて計測しているトレーニング回数Ｎを１増やし（図２ステップＳ１１）、ステップＳ４に戻る。
【００４５】
これによって、本実施例では、ＡＤＳＬ局内装置１においてＧ．ｄｍｔモードまたはＧ．ｌｉｔｅモードにて自動的に、ＡＤＳＬモデム２に接続することができる。
【００４６】
このように、本実施例では、ＡＤＳＬモデム２がＧ. ｄｍｔモード、Ｇ．ｌｉｔｅモード双方対応のモデムの場合に、このＡＤＳＬモデム２を回線の状況に最適化された接続モードで接続することができる。
【００４７】
また、本実施例では、Ｇ．ｄｍｔモードのみで接続することができなかった距離においても、Ｇ．ｌｉｔｅモードにて自動的にＡＤＳＬモデム２を接続することができ、伝送距離を伸ばすことができる。
【００４８】
さらに、本実施例では、ＡＤＳＬモデム２を自動的に接続することができるので、回線毎に人為的に接続モードの設定を行う必要がなく、煩雑な作業をなくすことができる。
【００４９】
さらにまた、本実施例では、ＡＤＳＬモデム２の仕様を変更することなく、実現することができる。これによって、本実施例では、ＡＤＳＬ局内装置１のみの仕様を変更するだけで、ＡＤＳＬモデム２の接続性を高めることができる。
【００５０】
図３及び図４は本発明の他の実施例によるＡＤＳＬ局内装置の動作を示すフローチャートである。本発明の他の実施例ではＡＤＳＬ局内装置の動作の一部が異なる以外は、図１に示す本発明の一実施例によるデータ通信システムの構成と同様の構成となっているので、これら図１と図３と図４とを参照して本発明の他の実施例によるデータ通信システムの動作について説明する。
【００５１】
尚、図３及び図４に示す処理はＡＤＳＬ局内装置１のコンピュータが記録媒体１７のプログラムを実行することで実現される。また、図３のステップＳ２１〜Ｓ３４及び図４のステップＳ３５の処理は図２のステップＳ１〜Ｓ１５の処理と同様であるので、その説明については省略する。
【００５２】
本発明の一実施例においては、Ｇ．ｄｍｔモード、Ｇ．ｌｉｔｅモード双方をサポートするＡＤＳＬモデム２を接続した時に、Ｇ. ｄｍｔモードにてトレーニングを失敗すると、その後はＧ．ｌｉｔｅモードでしかトレーニングしていないという問題がある。
【００５３】
そこで、本発明の他の実施例では、図４に示すように、トレーニング回数Ｎが２ｎになった場合に（図４ステップＳ３６）、Ｎ＝０に初期化する処理（図４ステップＳ３７）を追加することによって、上記の問題を解消することができ、Ｇ. ｄｍｔモード、Ｇ. ｌｉｔｅモードそれぞれでトレーニングを実施することができる。
【００５４】
図５及び図６は本発明の別の実施例によるＡＤＳＬ局内装置の動作を示すフローチャートである。本発明の別の実施例ではＡＤＳＬ局内装置の動作の一部が異なる以外は、図１に示す本発明の一実施例によるデータ通信システムの構成と同様の構成となっているので、これら図１と図５と図６とを参照して本発明の別の実施例によるデータ通信システムの動作について説明する。尚、図５及び図６に示す処理はＡＤＳＬ局内装置１のコンピュータが記録媒体１７のプログラムを実行することで実現される。
【００５５】
ＡＤＳＬのＡｎｎｅｘ−ＣにはＴＣＭノイズ（ＩＳＤＮからの伝送ノイズ）からの影響を軽減するためにＤＢＭ（Ｄｕａｌ  Ｂｉｔ  Ｍａｐ）モードとＦＢＭ（Ｆｅｘｔ  Ｂｉｔ  Ｍａｐ）モードという二つのモードが存在する。
【００５６】
ＤＢＭモードとＦＢＭモードとを比べた場合、ＤＢＭモードではＦＢＭモードよりも高い伝送レートを確保することができるが、伝送距離は劣る。本発明の別の実施例では、このモードを取入れ、Ｇ. ｄｍｔ（ＤＢＭ）モード、Ｇ．ｄｍｔ（ＦＢＭ）モード、Ｇ．ｌｉｔｅ（ＤＢＭ）モード、Ｇ．ｌｉｔｅ（ＦＢＭ）モードの4 つのモードの組合せを定義し、さらにそれぞれのモードに適切な設定を適用するようにすることによって、Ａｎｎｅｘ−Ｃの全てのモードにおいて最適な接続を行うことができる。上記の動作について図５及び図６を参照して説明する。
【００５７】
ＡＤＳＬ局内装置１は初めにトレーニング回数ＮとＦＢＭフラグＦとを０に初期化し（図５ステップＳ４１，Ｓ４２）、ＡＤＳＬモデム２が接続されると（図５ステップＳ４３）、Ｇ．ｈｓを開始する（図５ステップＳ４４）。ここで、ＡＤＳＬ局内装置１はＧ．ｈｓのシーケンスにおいてモデムの種別を判別するが、ＡＤＳＬモデム２がＡｎｎｅｘ−Ｃ対応モデムでなければ（図５ステップＳ４５）、接続が不可能となる（図５ステップＳ５３）。
【００５８】
次に、ＡＤＳＬ局内装置１はＡＤＳＬモデムがＧ．ｄｍｔモード、Ｇ. ｌｉｔｅモード双方対応のモデムで（図５ステップＳ４６）、トレーニング回数Ｎが設定した値の２倍未満の場合（図５ステップＳ４７）、ＤＢＭモードとＦＢＭモードとを判定するため、ＦＢＭフラグＦ＝０であるかを判断する（図５ステップＳ４８）。
【００５９】
ＡＤＳＬ局内装置１はＦＢＭフラグＦ＝０であれば、トレーニング実行前にＧ．ｄｍｔ（ＤＢＭ）モードの予め設定された最適な値に設定し（図５ステップＳ４９）、Ｇ．ｄｍｔ（ＤＢＭ）モードにてトレーニングを実行する（図５ステップＳ５０）。
【００６０】
また、ＡＤＳＬ局内装置１はＦＢＭフラグＦ＝１であれば、トレーニング実行前にＧ．ｄｍｔ（ＦＢＭ）モードの予め設定された最適な値に設定し（図５ステップＳ５１）、Ｇ．ｄｍｔ（ＦＢＭ）モードにてトレーニングを実行する（図５ステップＳ５２）。
【００６１】
一方、ＡＤＳＬ局内装置１はＡＤＳＬモデムがＧ．ｄｍｔモード、Ｇ. ｌｉｔｅモード双方対応のモデムでない場合（図５ステップＳ４６）、あるいはトレーニング回数Ｎが設定した値の２倍以上の場合（図５ステップＳ４７）、ＤＢＭモードとＦＢＭモードとを判定するため、ＦＢＭフラグＦ＝０であるかを判断する（図６ステップＳ５４）。
【００６２】
ＡＤＳＬ局内装置１はＦＢＭフラグＦ＝０であれば、トレーニング実行前にＧ．ｌｉｔｅ（ＤＢＭ）モードの予め設定された最適な値に設定し（図６ステップＳ５５）、Ｇ．ｌｉｔｅ（ＤＢＭ）モードにてトレーニングを実行する（図６ステップＳ５６）。
【００６３】
また、ＡＤＳＬ局内装置１はＦＢＭフラグＦ＝１であれば、トレーニング実行前にＧ．ｌｉｔｅ（ＦＢＭ）モードの予め設定された最適な値に設定し（図６ステップＳ５７）、Ｇ．ｌｉｔｅ（ＦＢＭ）モードにてトレーニングを実行する（図６ステップＳ５８）。
【００６４】
ＡＤＳＬ局内装置１は上記のトレーニングが成功すると（図６ステップＳ５９）、接続完了となる（図６ステップＳ６０）。また、ＡＤＳＬ局内装置１はトレーニングが失敗すると（図６ステップＳ５９）、トレーニング回数Ｎに１を加える（図６ステップＳ６１）。
【００６５】
ここで、ＡＤＳＬ局内装置１はトレーニング回数Ｎが設定したｎの倍数であれば  （図６ステップＳ６２）、ＦＢＭフラグＦを反転させ、ＤＢＭモードとＦＢＭモードとを切替える（図６ステップＳ６３）。さらに、ＡＤＳＬ局内装置１はトレーニング回数Ｎが設定値ｎの4 倍になった時に（図６ステップＳ６４）、Ｎ＝０に初期化する（図６ステップＳ６５）。
【００６６】
本実施例では、このような処理によって、Ｇ. ｄｍｔモード、Ｇ. ｌｉｔｅモード双方対応のモデムを接続した際に、初めにＧ. ｄｍｔ（ＤＢＭ）モードにてトレーニングを実施し、接続失敗を繰り返し、トレーニング回数Ｎが設定値ｎとなった場合にＧ. ｄｍｔ（ＦＢＭ）モードにてトレーニングを実施し、さらにｎ回、２ｎ回トレーニングを失敗した際にＧ. ｌｉｔｅ（ＤＢＭ）モード、Ｇ. ｌｉｔｅ（ＦＢＭ）モードにてトレーニングを実施し、トレーニングをさらにｎ回繰り返し、トレーニング回数Ｎが４ｎとなった場合にＮ＝０に初期化することで、Ｇ. ｄｍｔ（ＤＢＭ）モードから再度接続をやり直すことができる。
【００６７】
【発明の効果】
以上説明したように本発明は、ＡＤＳＬモデムとの対向接続時に、ＡＤＳＬモデムからのモデム情報を基にモードを選択してＡＤＳＬモデムとの接続を行うためのトレーニングに成功した時にＡＤＳＬモデムとの接続を行うＡＤＳＬ局内装置において、トレーニングの回数をカウントし、選択されたモードとカウント値とを基にＡＤＳＬモデムとの接続モードを選択することによって、Ｇ．ｄｍｔモード、Ｇ．ｌｉｔｅモード双方対応のモデムを接続した時に回線の状況に最適化された接続モードで接続することができるという効果が得られる。
【図面の簡単な説明】
【図１】本発明の一実施例によるデータ通信システムの構成を示すブロック図である。
【図２】図１のＡＤＳＬ局内装置の動作を示すフローチャートである。
【図３】発明の他の実施例によるＡＤＳＬ局内装置の動作を示すフローチャートである。
【図４】発明の他の実施例によるＡＤＳＬ局内装置の動作を示すフローチャートである。
【図５】本発明の別の実施例によるＡＤＳＬ局内装置の動作を示すフローチャートである。
【図６】本発明の別の実施例によるＡＤＳＬ局内装置の動作を示すフローチャートである。
【図７】従来例によるＡＤＳＬ局内装置の動作を示すフローチャートである。
【符号の説明】
１  ＡＤＳＬ局内装置
２  ＡＤＳＬモデム
１１  モデム情報受信部
１２  モデム判別部
１３  カウンタ
１４  比較器
１５  接続モード選択部
１６  トレーニング実行部
１７  記録媒体
２１  モデム情報送信部
２２  トレーニング実行部
【図１】
0003901016.tif 000002
【図２】
0003901016.tif 000003
【図３】
0003901016.tif 000004
【図４】
0003901016.tif 000005
【図５】
0003901016.tif 000006
【図６】
0003901016.tif 000007
【図７】
0003901016.tif 000008